(57)【要約】      （修正有）【課題】質量を付加する現行の工程は、ロータの応力に影響を及ぼすか、または望ましくない横振動数の変化をもたらす可能性がある。【解決手段】ロータトレインのねじれモードの振動数調整装置が提供され、これは、第１のシャフト１０５および第２のシャフト１０８と、第１のシャフト１０５と第２のシャフト１０８との間に動作可能に配置される軸継手１０９と、軸継手１０９に配置される連結要素２であって、第１のシャフト１０５および第２のシャフト１０８ならびに軸継手１０９を含むロータトレインにおける慣性および／またはねじり剛性の少なくとも一方の変更によってロータトレインの振動数を調節するように構成される連結要素２とを含む。【選択図】図２
2015135181.tif 000002
【特許請求の範囲】
【請求項１】
第１のシャフト（１０５）および第２のシャフト（１０８）と、
前記第１のシャフト（１０５）と前記第２のシャフト（１０８）との間に動作可能に配置された軸継手（１０９）と、
前記軸継手（１０９）に配置された連結要素（２）であって、前記第１のシャフト（１０５）および前記第２のシャフト（１０８）ならびに前記軸継手（１０９）を含むロータトレイン（１１０）における慣性および／またはねじり剛性の少なくとも一方の変更によって前記ロータトレイン（１１０）の振動数を調節するように構成されている連結要素（２）と
を備える、ロータトレインのねじれモードの振動数調整装置（１）。
【請求項２】
前記連結要素（２）が、再構成可能な質量（４０）を備える、請求項１に記載の、ロータトレインのねじれモードの振動数調整装置（１）。
【請求項３】
前記連結要素（２）が、再配置可能な質量（４、１８、２８、３６）を備える、請求項１に記載の、ロータトレインのねじれモードの振動数調整装置（１）。
【請求項４】
前記連結要素（２）の近傍に配置された固定要素（３）と、前記固定要素（３）または前記連結要素（２）に支持配置可能な可搬質量（４）とをさらに備える、請求項１に記載の、ロータトレインのねじれモードの振動数調整装置（１）。
【請求項５】
前記連結要素（２）が、前記軸継手（１０９）に機械的に連結されること、前記軸継手（１０９）上に圧入されること、および前記軸継手（１０９）と一体的に形成されることの少なくともいずれかが行われており、前記可搬質量（４）が、環状板（１８、２８、３６）を備える、請求項４に記載の、ロータトレインのねじれモードの振動数調整装置（１）。
【請求項６】
第１のシャフト（１０５）と第２のシャフト（１０８）との間に動作可能に配置された軸継手（１０９）に固定配置された連結要素（２）と、
前記連結要素（２）に支持配置可能な可搬質量（４）と
を備え、前記可搬質量（４）が、前記第２のシャフト（１０８）のねじりモードの振動数が、前記第１のシャフト（１０５）のねじりモードの固有振動数とほぼ等しくなるように前記第２のシャフト（１０８）のねじり剛性および回転慣性の少なくとも一方を調節するために前記連結要素（２）へ移動可能である、ロータトレインのねじれモードの振動数調整装置（１）。
【請求項７】
前記連結要素（２）が、前記軸継手（１０９）に機械的に連結されること、前記軸継手（１０９）上に圧入されること、および前記軸継手（１０９）と一体的に形成されることの少なくともいずれかが行われている、請求項６に記載の、ロータトレインのねじれモードの振動数調整装置（１）。
【請求項８】
前記可搬質量（４）が、環状板（１８、２８、３６）を備える、請求項７に記載の、ロータトレインのねじれモードの振動数調整装置（１）。
【請求項９】
シャフトのそれぞれの端を互いに連結することができる軸継手（１０９）を備える、ロータトレインのねじれモードの振動数調整のための装置（１）であって、
前記軸継手（１０９）に固定配置された連結要素（２）と、
前記連結要素（２）に支持配置可能な可搬質量（４）と
を備え、前記可搬質量（４）が、前記シャフトのうちの一方のねじりモードの振動数が、前記シャフトのうちの他方のねじりモードの固有振動数とほぼ等しくなるように前記シャフトのうちの前記一方のねじり剛性および回転慣性の少なくとも一方を調節するために前記連結要素（２）へ移動可能である装置（１）。
【請求項１０】
前記シャフトが、ターボ機械に連結された第１のシャフト（１０５）と、前記軸継手（１０９）によって前記第１のシャフト（１０５）に連結された第２のシャフト（１０８）とを備える、請求項９に記載の装置（１）。
【請求項１１】
前記軸継手（１０９）が、前記第１のシャフト（１０５）の端（１０６）に関連付けられた第１の軸継手部品（１０９１）と、
前記第２のシャフト（１０８）の端（１０７）に関連付けられた第２の軸継手部品（１０９２）と
を備え、前記連結要素（２）が、前記第２の軸継手部品（１０９２）に固定配置されている、請求項１０に記載の装置（１）。
【請求項１２】
前記連結要素（２）が、前記軸継手（１０９）に機械的に連結されている、請求項９に記載の装置（１）。
【請求項１３】
前記連結要素（２）が、前記軸継手（１０９）に機械的に連結されたベースリング（１０）と、
前記ベースリング（１０）から軸方向に延在する保持リング（１２）と
を備え、前記軸継手（１０９）の半径方向外面（１１）、前記ベースリング（１０）の軸方向面（１３）、および前記保持リング（１２）の半径方向内面（１４）が、アニュラス（１５）を形成しており、前記可搬質量（４）が、前記アニュラス（１５）に適合するサイズに形成された環状板（１８）を備える、請求項１２に記載の装置（１）。
【請求項１４】
前記ロータトレイン（１１０）が、前記連結要素（２）の近傍に配置された固定要素（３）を備え、前記可搬質量（４）が、前記固定要素（３）または前記連結要素（２）に支持配置可能であり、前記固定要素（３）および前記連結要素（２）の一方から他方へ移動可能である、請求項１３に記載の装置（１）。
【請求項１５】
前記連結要素（２）が、前記軸継手（１０９）上に圧入されている、請求項９に記載の装置（１）。
【請求項１６】
前記連結要素（２）が、前記軸継手（１０９）に締まり嵌めされたベースリング（２０）を備え、前記ベースリング（２０）が、軸方向部分（２２）および半径方向部分（２３）を含み、前記軸方向部分（２２）の半径方向外面（２４）および前記半径方向部分（２３）の軸方向面（２５）が、ポケット（２６）を形成している、請求項１５に記載の装置（１）。
【請求項１７】
前記可搬質量（４）が、前記ポケット（２６）に適合するサイズに形成された環状板（２８）を備える、請求項１６記載の装置（１）。
【請求項１８】
前記連結要素（２）が、前記軸継手（１０９）と一体的に形成されている、請求項９に記載の装置（１）。
【請求項１９】
前記連結要素（２）が、前記第１のシャフト（１０５）の端（１０６）に関連付けられた第１の軸継手部品（１０９１）と、
前記第２のシャフト（１０８）の端（１０７）に関連付けられた第２の軸継手部品（１０９２）と
を備え、前記第１の軸継手部品（１０９１）の軸方向面（３０）、前記第２の軸継手部品（１０９２）の軸方向面（３１）、および前記第２の軸継手部品（１０９２）の半径方向面（３２）が、凹部（３３）を形成している、請求項１８に記載の装置（１）。
【請求項２０】
前記可搬質量（４）が、前記凹部（３３）にボルト留めされるように構成された環状板（３６）を備える、請求項１９に記載の装置（１）。
【発明の詳細な説明】
【技術分野】
【０００１】
本明細書で開示される主題は、ロータトレインのねじれモードの振動数装置（ｒｏｔｏｒ  ｔｒａｉｎ  ｔｏｒｓｉｏｎａｌ  ｍｏｄｅ  ｆｒｅｑｕｅｎｃｙ  ａｐｐａｒａｔｕｓ）に関し、より具体的には、ロータトレインの振動数がトレインのどこかでの慣性および／またはねじり剛性の変更によって調節可能である、ロータトレインのねじれモードの振動数装置に関する。
【背景技術】
【０００２】
ロータなどの回転体は、多くの異なる種類の機械的および電気的要素（発電機、モータ、および他の同様の装置を含む）に使用されている。これらの回転体は、多数のねじり固有振動モードを有し、応力、疲労、性能などを含む様々な理由から、これらの振動モードを特定の動作範囲外に維持することが望ましい。例えば、発電機または回転体を含む他の機械要素は、一般的に、ライン振動数の２倍に近い、少なくとも１つのねじり固有振動モードを有する。この振動モードが、ライン振動数の２倍に近づき過ぎて、励振されると、連結されたタービンの最終段のバケットなどの、連結体の要素の故障の原因になる可能性がある。
【０００３】
ロータのねじりモードの振動数は、目的の回転体のモードの振動数に直接影響する慣性またはねじり剛性のいずれかの変更によって（すなわち、大きな締まり嵌めリングを付加または除去することによって）シフトされ得る。しかしながら、このような変更を行うには、トレインの他のロータ部分からロータを切り離し、リングの着脱を可能にするためにロータを露出させる工程が必要である。リングは、多くの場合、大きくて高強度の高価なものであり、工程が失敗した場合、状況に応じて剛性または慣性を低減するために構成要素を機械加工する必要があり得る。これらのステップのそれぞれは、費用および時間の掛かるものであり得る。
【０００４】
ロータのねじりモードの振動数を調整するための上述した工程はまた、ロータのモードのねじり振動数または振動のみを対象としない傾向にある。正確に言えば、質量を付加する現行の工程は、ロータの応力に影響を及ぼすか、または望ましくない横振動数の変化をもたらす可能性がある。
【先行技術文献】
【特許文献】
【０００５】
【特許文献１】米国特許第８，４３４，３６４号明細書
【発明の概要】
【０００６】
本発明の一態様によれば、ロータトレインのねじれモードの振動数調整装置が提供され、これは、第１のシャフトおよび第２のシャフトと、第１のシャフトと第２のシャフトとの間に動作可能に配置される軸継手と、軸継手に配置される連結要素であって、第１のシャフトおよび第２のシャフトならびに軸継手を含むロータトレインにおける慣性および／またはねじり剛性の少なくとも一方の変更によってロータトレインの振動数を調節するように構成される連結要素とを含む。
【０００７】
本発明の別の態様によれば、ロータトレインのねじれモードの振動数調整装置が提供され、これは、第１のシャフトと第２のシャフトとの間に動作可能に配置される軸継手に固定配置される連結要素および該連結要素に支持配置可能な可搬質量を含む。可搬質量は、シャフトのうちの一方のねじりモードの振動数が、シャフトのうちの他方のねじりモードの固有振動数とほぼ等しくなるようにシャフトのうちの一方のねじり剛性および回転慣性の少なくとも一方を調節するために連結要素へ移動可能である。
【０００８】
本発明のさらに別の態様によれば、ロータトレインのねじれモードの振動数調整のための装置が提供される。ロータトレインは、シャフトのそれぞれの端を互いに連結することができる軸継手を含む。本装置は、軸継手に固定配置される連結要素および該連結要素に支持配置可能な可搬質量を含む。可搬質量は、シャフトのうちの一方のねじりモードの振動数が、シャフトのうちの他方のねじりモードの固有振動数とほぼ等しくなるようにシャフトのうちの一方のねじり剛性および回転慣性の少なくとも一方を調節するために連結要素へ移動可能である。
【０００９】
これらのおよび他の利点および特徴は、図面に関連して行われる以下の説明からより明らかとなる。
【００１０】
本発明として考えられている主題は、本明細書の最後にある特許請求の範囲において特に指摘され、明確に特許請求される。本発明の前述のおよび他の特徴および利点は、添付図面に関連して行われる以下の詳細な説明から明らかとなる。
【図面の簡単な説明】
【００１１】
【図１】ロータトレインの概略側面図である。
【図２】実施形態に係る、ロータトレインのねじれモードの振動数装置の概略図である。
【図３】代替的な実施形態に係る、ロータトレインのねじれモードの振動数装置の概略図である。
【図４】さらなる代替的な実施形態に係る、ロータトレインのねじれモードの振動数装置の概略図である。
【図５】少なくとも図２および図４の実施形態で使用可能な多部品の板またはリングの軸方向図である。
【図６】さらなる代替的な実施形態に係る、ロータトレインのねじれモードの振動数装置のフロー図である。
【発明を実施するための形態】
【００１２】
詳細な説明では、本発明の実施形態が、利点および特徴と共に、図面を参照しながら例として説明される。
【００１３】
以下で行われる説明は、ねじり固有振動数（例えば、タービン発電機のパワートレインの）の調整に関する。このような調整に関する開示は、その内容が参照により本明細書に組み込まれる米国特許第８，０１３，４８１号明細書の開示と同様である。この調整は、２つのシャフトまたはロータの軸継手に適用することができ、トレインのどこかでの慣性および／またはねじり剛性の変更によってロータトレインの振動数を調節することに役立つねじり振動吸収装置によって行われる。
【００１４】
図１を参照すると、回転体１００が、第１のシャフト１０５を介して機械装置１０２に接続されている。回転体１００は、発電機のロータであってもよいが、任意の機械要素が、本発明の実施形態に関連して使用され得ることが理解される。機械装置１０２は、回転体１００に連結される任意の装置（蒸気タービン、ガスタービン、ガスおよび蒸気の複合タービンなど）であってもよい。第１のシャフト１０５は、端部１０６を有し、軸継手１０９により端部１０６で第２のシャフト１０８の相補的な端部１０７にさらに連結または接続されている。図１に示されているように、回転体１００、第１のシャフト１０５、および第２のシャフト１０８は、軸受１０４を含む任意の適切な装置によって支持されてもよい。
【００１５】
軸継手１０９は、第１のシャフト１０５の端に関連付けられた第１の軸継手部品１０９１および第２のシャフト１０８の端に関連付けられた第２の軸継手部品１０９２を含んでもよい。図１の第１のシャフト１０５、第２のシャフト１０８、ならびに軸継手１０９の第１の軸継手部品１０９１および第２の軸継手部品１０９２によって、ロータトレイン１１０の一部が形成されている。図２〜図４を参照すると、ロータトレインのねじれモードの振動数調整のための装置１が示されており、装置１は、ロータトレイン１１０または同様のトランスミッションと共に使用可能である。図２〜図４に示されているように、装置１は、連結要素２、固定要素３、および可搬質量４を含む。連結要素２は、軸継手１０９の第２の軸継手部品１０９２に固定配置されている。固定要素３は、連結要素２の近傍に配置されている。可搬質量４は、固定要素３または連結要素２のいずれかに支持配置可能である。
【００１６】
以下でより詳細に説明されるように、可搬質量４は、第１のシャフト１０５および第２のシャフト１０８の一方のねじり剛性および回転慣性の少なくとも一方を調節するために、固定要素３および連結要素２の一方から固定要素３および連結要素２の他方へ再配置可能または移動可能である。より具体的には、可搬質量４は、第２のシャフト１０８のねじり剛性および回転慣性の少なくとも一方を調節するために、固定要素３から連結要素２へまたは連結要素２から固定要素３へ移動されてもよい。その際、第２のシャフト１０８のねじりモードの振動数は、第１のシャフト１０５のねじりモードの固有振動数とほぼ等しくされてもよい。
【００１７】
図２を詳しく参照すると、連結要素２は、軸継手１０９に機械的に連結されてもよい。この場合、連結要素２は、軸継手１０９の半径方向外面１１に機械的に連結されたベースリング１０およびベースリング１０から軸線方向に延在する保持リング１２を含む。図２に示されているように、軸継手１０９の半径方向外面１１、ベースリング１０の軸方向面１３、および保持リング１２の半径方向内面１４は、協働してアニュラス１５を形成している。
【００１８】
上述した構成において、固定要素３は、フランジ１６およびフック要素１７を含む。フランジ１６は、連結要素２の近傍に配置されており、フック要素１７は、可搬質量４を支持または保持するためにフランジ１６上に配列されている。可搬質量４が、環状の慣性板１８またはリングとして用意される場合、可搬質量４は、フック要素１７から取り外され、連結要素２に装着され得る。実施形態によれば、可搬質量４は、完全な環状要素として、または互いに組み立てられる周方向に分割された多数の部品として用意されてもよく、また、アニュラス１５の内側に適合するサイズに形成されてもよい。
【００１９】
装着には、フランジ１６およびフック要素１７から連結要素２に可搬質量４を運び、次に、アニュラス１５内に可搬質量４を摺動させることが含まれてもよい。このような装着は、第１のシャフト１０５から第２のシャフト１０８を切り離すことなく、機械装置１０２または回転体１００から第１のシャフト１０５を切り離すことなく、および第２のシャフト１０８が取り付けられ得る任意の下流の物体から第２のシャフト１０８を切り離すことなく完了させることができる。
【００２０】
さらなる実施形態によれば、可搬質量４は、複数の可搬質量４であって、それぞれが同様のまたは固有の個別の質量または重量を有する複数の可搬質量４として用意されてもよい。このようにして、第２のシャフト１０８のねじり剛性および回転慣性の少なくとも一方の、カスタマイズ可能な正確さおよび精度の調節が、アニュラス１５内に１つ以上の可搬質量４を装着することによって達成され得る。
【００２１】
図２のロータトレイン１１０の動作中、第１のシャフト１０５の回転は、第２のシャフト１０８および可搬質量（または複数の可搬質量）４の対応する回転を駆動する。このように、可搬質量（または複数の可搬質量）４は、保持リング１２によって、および可搬質量（または複数の可搬質量）４と保持リング１２の半径方向内面１４との間に発生する遠心力によってアニュラス１５内に保持される。可搬質量（または複数の可搬質量）４の補助的な拘束が、ベースリング１０に可搬質量（または複数の可搬質量）４を締結またはボルト留めするために随意に配置される締結要素によって行われてもよい。
【００２２】
図３を詳しく参照すると、連結要素２は、軸継手１０９上に圧入されてもよい。この場合、連結要素２は、ベースリング２０を含み、ベースリング２０は、軸継手１０９の半径方向外面２１に締まり嵌めされるように構成されており、軸方向部分２２および半径方向部分２３を含む。図３に示されているように、軸方向部分２２の半径方向外面２４および半径方向部分２３の軸方向面２５は、協働して環状ポケット２６を形成している。
【００２３】
上述した構成において、固定要素３は、端面２７を含み、端面２７は、連結要素２の近傍に配置されており、可搬質量４を支持または保持するように構成されている。可搬質量４が、環状の慣性板２８またはリングとして用意される場合、可搬質量４は、端面２７から取り外され、連結要素２に装着され得る。実施形態によれば、可搬質量４は、完全な環状要素として、または互いに組み立てられる周方向に分割された多数の部品として用意されてもよく、また、ポケット２６に適合するサイズに形成されてもよい。
【００２４】
装着には、端面２７から連結要素２に可搬質量４を運び、次に、ポケット２６に可搬質量４を摺動させることが含まれてもよい。このような装着は、第１のシャフト１０５から第２のシャフト１０８を切り離すことなく、機械装置１０２または回転体１００から第１のシャフト１０５を切り離すことなく、および第２のシャフト１０８が取り付けられ得る任意の下流の物体から第２のシャフト１０８を切り離すことなく完了させることができる。
【００２５】
さらなる実施形態によれば、可搬質量４は、複数の可搬質量４であって、それぞれが同様のまたは固有の個別の質量または重量を有する複数の可搬質量４として用意されてもよい。このようにして、第２のシャフト１０８のねじり剛性および回転慣性の少なくとも一方の、カスタマイズ可能な正確さおよび精度の調節が、ポケット２６に１つ以上の可搬質量４を装着することによって達成され得る。
【００２６】
図３のロータトレイン１１０の動作中、第１のシャフト１０５の回転は、第２のシャフト１０８および可搬質量（または複数の可搬質量）４の対応する回転を駆動する。このように、可搬質量（または複数の可搬質量）４は、軸方向部分２２によって、および可搬質量（または複数の可搬質量）４と軸方向部分２２の半径方向外面２４との間に発生する遠心力によってポケット２６に保持される。可搬質量（または複数の可搬質量）４の補助的な拘束が、半径方向部分２３に可搬質量（または複数の可搬質量）４を締結またはボルト留めするために随意に配置される締結要素によって行われてもよい。
【００２７】
図４を詳しく参照すると、連結要素２は、軸継手１０９と一体的に形成されてもよい。この場合、連結要素２は、第１の軸継手部品１０９１および第２の軸継手部品１０９２（図１および図４参照）を含む。図４に示されているように、第１の軸継手部品１０９１の軸方向面３０、第２の軸継手部品１０９２の軸方向面３１、および第２の軸継手部品１０９２の半径方向面３２は、協働して環状凹部３３を形成している。
【００２８】
上述した構成において、固定要素３は、フランジ３４およびフック要素３５を含む。フランジ３４は、連結要素２の近傍に配置されており、フック要素３５は、可搬質量４を支持または保持するためにフランジ３４上に配列されている。可搬質量４が、環状の慣性板３６またはリングとして用意される場合、可搬質量４は、フック要素３５から取り外され、連結要素２に装着され得る。実施形態によれば、可搬質量４は、完全な環状要素として、または互いに組み立てられる周方向に分割された多数の部品として用意されてもよく、また、凹部３３の内側に適合するサイズに形成されてもよい。
【００２９】
装着には、フランジ３４およびフック要素３５から連結要素２に可搬質量４を運び、次に、凹部３３内に可搬質量４を摺動させることが含まれてもよい。このような装着は、第１のシャフト１０５から第２のシャフト１０８を切り離すことなく、機械装置１０２または回転体１００から第１のシャフト１０５を切り離すことなく、および第２のシャフト１０８が取り付けられ得る任意の下流の物体から第２のシャフト１０８を切り離すことなく完了させることができる。
【００３０】
さらなる実施形態によれば、可搬質量４は、複数の可搬質量４であって、それぞれが同様のまたは固有の個別の質量または重量を有する複数の可搬質量４として用意されてもよい。このようにして、第２のシャフト１０８のねじり剛性および回転慣性の少なくとも一方の、カスタマイズ可能な正確さおよび精度の調節が、アニュラス１５内に１つ以上の可搬質量４を装着することによって達成され得る。
【００３１】
図４のロータトレイン１１０の動作中、第１のシャフト１０５の回転は、第２のシャフト１０８および可搬質量（または複数の可搬質量）４の対応する回転を駆動する。このように、可搬質量（または複数の可搬質量）４は、可搬質量（または複数の可搬質量）４と第２の軸継手部品１０９２の半径方向面３２との間に発生する遠心力によって凹部内に保持される。可搬質量（または複数の可搬質量）４の補助的な拘束が、第２の軸継手部品１０９２に可搬質量（または複数の可搬質量）４を締結またはボルト留めするために配置される締結要素（例えば、ボルト）３６によって行われてもよい。
【００３２】
さらなる実施形態によれば、図５を参照すると、少なくとも図２の実施形態の慣性板１８および図４の実施形態の慣性板３６は、図５の部分５０および５１などの多数の部品として用意されてもよいことが理解される。これらの部分は、継ぎ目５２に沿って互いに連結可能であり、対応するそれぞれの場合において可搬質量４のより簡単な取付けを可能にすることができる。加えて、部分５０および５１の使用によって、少なくとも図２および図４の実施形態からの固定要素３の除去が可能になり得るし、固定要素３が少なくとも図２および図４の実施形態に存在しなくてもよくなり得る。このような場合、部分５０および５１は、それぞれ、連結要素２の近くまたは近傍に格納または保持されてもよく、また、軸継手１０９に別々に配置されてもよい。このような配置が行われたら、部分５０および５１は、アニュラス１５（図２参照）または凹部３３（図４参照）において慣性板１８を形成するために互いに結合または連結されてもよい。
【００３３】
図６を参照すると、さらなる代替的な実施形態に係る、ロータトレインのねじれモードの振動数装置が示されている。図６に示されているように、連結要素２は、上述されているように軸継手１０９に配置されており、再構成可能な質量４０として用意されている。このようにして、連結要素２の質量の全部または一部は、第２のシャフト１０８のねじり剛性および回転慣性の少なくとも一方を調節するために要望または必要性に応じて軸方向または半径方向の次元に沿って移動、拡大、または伸長されてもよい。実施形態によれば、再構成可能な質量４０は、モーフィング材料（ｍｏｒｐｈｉｎｇ  ｍａｔｅｒｉａｌ）またはスマート材料（形状記憶合金（例えば、ニッケル−チタン合金）または形状記憶高分子など）を含んでもよい。このような場合、連結要素２の構成は、熱または電気を加えることによって変更され得る。
【００３４】
上述した実施形態は、ロータトレイン１１０の軸継手１０９にわたってまたはロータトレイン１１０の軸継手１０９の間にねじり慣性を加える。この慣性の変更は、第１のシャフト１０５の目的のねじり振動数とほぼ等しい、第２のシャフト１０８の振動のねじり固有振動数をもたらし、また、完全に組み立てられたユニットの修正を利用することにより達成される。加えて、このような修正は、完全に組み立てられたユニットに対して行われることから、このような修正は、結果の検証および必要に応じてさらなる修正を可能にする。
【００３５】
本発明について、限られた数の実施形態のみに関連して詳細に説明してきたが、本発明は、このような開示された実施形態に限定されるわけではないことが容易に理解されるべきである。それどころか、本発明は、これまでに説明されていないが、本発明の精神および範囲に相応する任意の数の変形、変更、置換、または同等の配置を取り入れるために修正されてもよい。さらに、本発明の様々な実施形態について説明してきたが、本発明の態様が、説明されている実施形態の一部しか含まなくてもよいことが理解されるべきである。したがって、本発明は、前述の説明によって限定されるものとして理解されるべきではなく、添付の特許請求の範囲によってのみ限定される。
【符号の説明】
【００３６】
１  装置
２  連結要素
３  固定要素
４  可搬質量
１０  ベースリング
１１  半径方向外面
１２  保持リング
１３  軸方向面
１４  半径方向内面
１５  アニュラス
１６  フランジ
１７  フック要素
１８  環状の慣性板
２０  ベースリング
２１  半径方向外面
２２  軸方向部分
２３  半径方向部分
２４  半径方向外面
２５  軸方向面
２６  環状ポケット
２７  端面
２８  環状の慣性板
３０  軸方向面
３１  軸方向面
３２  半径方向面
３３  環状凹部
３４  フランジ
３５  フック要素
３６  環状の慣性板
４０  再構成可能な質量
５０、５１  部分
５２  継ぎ目
１００  回転体
１０２  機械装置
１０５  第１のシャフト
１０４  軸受
１０６  端部
１０７  相補的な端部
１０８  第２のシャフト
１０９  軸継手
１０９１  第１の軸継手部品
１０９２  第２の軸継手部品
１１０  ロータトレイン
【図１】
2015135181.tif 000003
【図２】
2015135181.tif 000004
【図３】
2015135181.tif 000005
【図４】
2015135181.tif 000006
【図５】
2015135181.tif 000007
【図６】
2015135181.tif 000008
【外国語明細書】
2015135181000001.pdf